【事件の表示】
　特許第３４０５３１６号「高周波スイッチ」の請求項１ないし７に係る特許に対する特許異議の申立てについて、次のとおり決定する。
【結　論】
　訂正を認める。
　特許第３４０５３１６号の請求項１ないし６に係る特許を取り消す。
【理　由】
１．手続きの経緯
　特許第３４０５３１６号の請求項１乃至７に係る各発明は、平成１２年３月２７日に出願され、平成１５年３月７日に設定登録され、その後特許異議申立てがなされ、取消理由通知がなされ、その指定期間内である平成１６年３月２９日に訂正請求がなされたものである。
２．訂正の適否について
（訂正の要旨）
(i)特許請求の範囲の訂正
(a)請求項１を次のとおりとする。
「【請求項１】　アンテナと送信回路間に接続された第１のダイオードと、アンテナと受信回路間に接続されたストリップラインと、前記受信回路とアース間に接続された第２のダイオードと、これら第１，第２のダイオードのオン−オフを制御する制御回路を備え、前記ストリップラインを特性インピーダンスが異なる第１，第２のストリップラインを組み合わせて形成し、前記第１のストリップラインをアンテナ側に接続し、第２のストリップラインを受信回路側に接続し、前記第２のストリップラインの特性インピーダンスを前記第１のストリップラインのものよりも高く設定するとともに、前記ストリップラインの両端部分の特性インピーダンスを調節することで前記第２のダイオードのオフ時に生じる端子間容量によって前記ストリップラインの前記受信回路側の特性インピーダンスが低下することで、送信時前記送信回路から前記アンテナに至る送信系路における挿入損失が増加するという影響を制御したことを特徴とする高周波スイッチ。」
(b)請求項３乃至７の項番を繰り上げ、それぞれ請求項２乃至６とする。
(ii)明細書の訂正
(c)段落０００４に「補正用のコンデンサ（４０）」とあるのを「補正用のコンデンサ（４２）」と訂正する。
(d)段落０００１６に「シングルポート・ダブルスロー」とあるのを「シングルポール・ダブルスロー」と訂正する。
（訂正の可否）
　上記訂正の可否について検討すると、上記訂正は、特許請求の範囲の減縮、誤記の訂正に該当する。
　また、上記訂正は、願書に添付した明細書に記載した事項の範囲内のものであり、かつ、実質上特許請求の範囲を拡張又は変更するものではない。
（まとめ）
　よって、上記訂正は、特許法第１２０条の４第２項及び同条第３項で準用する特許法第１２６条第１乃至３項の規定に適合するので、当該訂正を認める。
３．特許異議の申立てについて
（訂正明細書の特許請求の範囲の記載）
　訂正明細書の特許請求の範囲の記載は次のとおりである。
「【請求項１】　アンテナと送信回路間に接続された第１のダイオードと、アンテナと受信回路間に接続されたストリップラインと、前記受信回路とアース間に接続された第２のダイオードと、これら第１，第２のダイオードのオン−オフを制御する制御回路を備え、前記ストリップラインを特性インピーダンスが異なる第１，第２のストリップラインを組み合わせて形成し、前記第１のストリップラインをアンテナ側に接続し、第２のストリップラインを受信回路側に接続し、前記第２のストリップラインの特性インピーダンスを前記第１のストリップラインのものよりも高く設定するとともに、前記ストリップラインの両端部分の特性インピーダンスを調節することで前記第２のダイオードのオフ時に生じる端子間容量によって前記ストリップラインの前記受信回路側の特性インピーダンスが低下することで、送信時前記送信回路から前記アンテナに至る送信系路における挿入損失が増加するという影響を制御したことを特徴とする高周波スイッチ。
【請求項２】　第１のストリップラインの特性インピーダンスを略５０オームとしたことを特徴とする請求項１に記載の高周波スイッチ。
【請求項３】　複数の誘電体シートを積層した積層体と、この積層体内の異なる層に設けた第１，第２のアース電極と、これら第１，第２のアース電極で挟まれた誘電体層に設けられた第１のストリップラインと、この第１のストリップラインと前記第２のアース電極間の誘電体層に設けられるとともに前記第１のストリップラインと接続された第２のストリップラインとを備え、前記第１のストリップラインと第１のアース電極との間隔を、前記第２のストリップラインと第２のアース電極との間隔と異ならせたことを特徴とする請求項１に記載の高周波スイッチ。
【請求項４】　第１のストリップラインと第２のストリップラインを、ビアホールを介して接続したことを特徴とする請求項４に記載の高周波スイッチ。
【請求項５】　複数の誘電体シートを積層した積層体と、この積層体内に設けたアース電極と、このアース電極とは異なる誘電体層に設けられた第１のストリップラインと、この第１のストリップラインと接続された第２のストリップラインとを備え、前記第１のストリップラインと第２のストリップラインの線路幅を異ならせたことを特徴とする請求項１に記載の高周波スイッチ。
【請求項６】　第１のストリップラインと第２のストリップラインを、積層体内の異なる層に設けたことを特徴とする請求項５に記載の高周波スイッチ。」
（取消理由通知について）
　当審が通知した取消理由通知は次のとおりである。
「（１）特許法第３６条第４項、第６項違反について 
(a)請求項１に「前記ストリップラインの両端部分の特性インピーダンスを調節することで前記第２のダイオードのオフ時に生じる端子間容量による前記送信回路から前記アンテナに至る送信系路に対する影響を制御した」とあるが、「前記第２のダイオードのオフ時に生じる端子間容量による前記送信回路から前記アンテナに至る送信系路に対する影響」とは何か、また、アンテナに至る送信系路に対する影響を特性インピーダンスを調整することによりどうして制御できるのか不明である。 
 　したがって、請求項１に係る特許、及び請求項１を引用するその他全請求項に係る特許は取り消すべきものである。 
(b)請求項２に「前記第２のストリップラインの特性インピーダンスを前記第１のストリップラインのものよりも高く設定した」とあるが、明細書の発明の詳細な説明の欄をみても、どうしてそのような設定が必要なのか説明されていない。　したがって、請求項２に係る特許、及び請求項２を引用するその他全請求項に係る特許は取り消すべきものである 
(c)請求項３に「第１のストリップラインの特性インピーダンスを略５０Ωとした」とあり、明細書の発明の詳細な説明の欄には、そのようにすれば、補正用のコンデンサＣ１を取り除くことができると説明されているが、どうしてそのようになるのか説明がないので不明である。 
(d)請求項４に「前記第１のストリップラインと第１のアース電極との間隔を、前記第２のストリップラインと第２のアース電極との間隔と異ならせた」とあるが、どうして誘電体層の厚みが異なると特性インピーダンスが異なるのか、明細書の発明の詳細な説明の欄をみても説明されていない。 
 　したがって、請求項４に係る特許、及び請求項４を引用するその他全請求項に係る特許は取り消すべきものである 
（２）特許法第２９条第１項第３号、特許法第２９条第２号違反について 
(a)請求項１に係る発明について 
　請求項１に係る発明は、特開平１１−２７１７７号公報（以下、刊行物１という。異議申立人の提出した甲第１号証）に記載された高周波スイッチと実質的な差異はないから、特許法第２９条第１項第３号に該当し、あるいは、少なくとも上記刊行物１記載の発明に基づき当業者が容易に発明をすることができたものであるので、特許法第２９条第２項に該当する。 
(b)請求項２に係る発明について 
　刊行物１には、伝送線路１０８ａ、１０８ｂの導体幅を伝送線路１０７より太くするとして、図９に概略的に示されているが、図９をみると、伝送線路１０８ａより１０８ｂのほうが太く、かつ、長さが短く描かれている。つまり、特性インピーダンスは、伝送線路１０８ａのほうが伝送線路１０８ｂよりも高い。 
　したがって、請求項２に係る発明は、特許法第２９条第１項第３号に該当し、あるいは、少なくとも上記刊行物１記載の発明に基づき当業者が容易に発明をすることができたものであるので、特許法第２９条第２項に該当する。 
(c)請求項３に係る発明について 
 刊行物１記載の伝送線路１０８ａ、１０８ｂの特性インピーダンスをどのような値に調整するかは、当業者が適宜なしうることであり、その調整の結果伝送線路１０８ａの特性インピーダンスを略５０Ωにすることもあり得る。 
　したがって、請求項３に係る発明は、上記刊行物１記載の発明に基づき当業者が容易に発明をすることができたものであるので、特許法第２９条第２項に該当する。 
(d)請求項４に係る発明について 
　刊行物１記載の伝送線路１０８ａ、１０８ｂの特性インピーダンスをどのようにして調整するかは、当業者が適宜なしうることにすぎない。 
　したがって、請求項４に係る発明は、上記刊行物１記載の発明に基づき当業者が容易に発明をすることができたものであるので、特許法第２９条第２項に該当する。 
(e)請求項５に係る発明について 
　上記刊行物１においても、ビアホールを介して伝送線路１０８ａ、１０８ｂを接続しており、請求項５の「第１のストリップラインと第２のストリップラインを、ビアホールを介して接続した」点と実質的な差異はない。 
　したがって、請求項５に係る発明は、上記刊行物１記載の発明に基づき当業者が容易に発明をすることができたものであるので、特許法第２９条第２項に該当する。 
(f)請求項６に係る発明について 
　上記刊行物１においても、伝送線路１０８ａ、１０８ｂの導体幅を異ならせており、請求項６の「前記第１のストリップラインと第２のストリップラインの線路幅を異ならせた」点と実質的な差異はない。 
　したがって、請求項６に係る発明は、上記刊行物１記載の発明に基づき当業者が容易に発明をすることができたものであるので、特許法第２９条第２項に該当する。 
(g)請求項７に係る発明について 
　上記刊行物１においても、伝送線路１０８ａ、１０８ｂを異なるシートに設けるようにしており、請求項７の「第１のストリップラインと第２のストリップラインを、積層体内の異なる層に設けた」点と実質的な差異はない。 
　したがって、請求項７に係る発明は、上記刊行物１記載の発明に基づき当業者が容易に発明をすることができたものであるので、特許法第２９条第２項に該当する。」（請求項１，２とは、訂正後の請求項１，請求項３乃至７は訂正後の請求項２乃至６に該当する。）
（判断）
　以下、検討すると、
(i)取消理由通知の「（１）特許法第３６条第４項、第６項違反について」中の(a)で「請求項１に「前記ストリップラインの両端部分の特性インピーダンスを調節することで前記第２のダイオードのオフ時に生じる端子間容量による前記送信回路から前記アンテナに至る送信系路に対する影響を制御した」とあるが、「前記第２のダイオードのオフ時に生じる端子間容量による前記送信回路から前記アンテナに至る送信系路に対する影響」とは何か、また、アンテナに至る送信系路に対する影響を特性インピーダンスを調整することによりどうして制御できるのか不明である。 」と指摘されているところ、特許権者は、当該箇所を、「前記ストリップラインの両端部分の特性インピーダンスを調節することで前記第２のダイオードのオフ時に生じる端子間容量によって前記ストリップラインの前記受信回路側の特性インピーダンスが低下することで、送信時前記送信回路から前記アンテナに至る送信系路における挿入損失が増加するという影響を制御した」と訂正している。
　しかし、挿入損失の増加は、補正用のコンデンサＣ１の容量を送信時の送信路に適した容量値に設定することにより防がれるものであり、ストリップラインの両端部分の特性インピーダンスの調整により挿入損失の増加が制御されるものではない。そして、ストリップラインの両端部分の特性インピーダンスの調整とは、（ストリップラインの両端部分の特性インピーダンスのバランスを調整するために設けられる）補正用のコンデンサＣ１の容量を送信時の送信路に適した容量値に設定した場合においても、その容量値に設定することに帰因するストリップラインの両端部分の特性インピーダンスのバランスを調整できるようにしたものである。
　また、「第２のダイオードのオフ時に生じる端子間容量によって前記ストリップラインの前記受信回路側の特性インピーダンスが低下する」と訂正しているが、特性インピーダンスが低下することはない。
　したがって、依然として、不明である点が解消されていない。
　そして、請求項２乃至６は、請求項１を直接的あるいは間接的に引用するものであるから、請求項２乃至６の記載も記載内容が不明である。
(ii)取消理由通知の「（１）特許法第３６条第４項、第６項違反について」中の(b)、(c)に関しても、明細書における説明が不十分であり、また、平成１６年３月２９日付けの意見書、平成１６年６月１４日付けの回答書をみても、依然として、不明である点が解消していない。
　したがって、請求項１乃至２、及び、請求項１を直接的あるいは間接的に引用する請求項３乃至６の記載も記載内容が不明である。
（まとめ） 
  したがって、その余の点を検討するまでもなく、本件の請求項１乃至６の特許は、特許法第３６条の規定に違反してされたものであるから、特許法第１１３条第１項第４項に該当し、取り消されるべきものである。
　
　 よって、結論のとおり決定する。
【異議決定日】
平成１７年４月４日（２００５．４．４）
【訂正の要旨】
審決（決定）の【理由】欄参照。
（５４）【発明の名称】
高周波スイッチ
（５７）【特許請求の範囲】
　【請求項１】アンテナと送信回路間に接続された第１のダイオードと、アンテナと受信回路間に接続されたストリップラインと、前記受信回路とアース間に接続された第２のダイオードと、これら第１，第２のダイオードのオン−オフを制御する制御回路を備え、前記ストリップラインを特性インピーダンスが異なる第１，第２のストリップラインを組み合わせて形成し、
前記第１のストリップラインをアンテナ側に接続し、前記第２のストリップラインを受信回路側に接続し、前記第２のストリップラインの特性インピーダンスを前記第１のストリップラインのものよりも高く設定するとともに
によって前記ストリップラインの前記受信回路側の特性インピーダンスが低下することで、送信時
おける挿入損失が増加するという
　【請求項２】
第１のストリップラインの特性インピーダンスを略５０オームとしたことを特徴とする請求項１に記載の高周波スイッチ
　【請求項３】
複数の誘電体シートを積層した積層体と、この積層体内の異なる層に設けた第１，第２のアース電極と、これら第１，第２のアース電極で挟まれた誘電体層に設けられた第１のストリップラインと、この第１のストリップラインと前記第２のアース電極間の誘電体層に設けられるとともに前記第１のストリップラインと接続された第２のストリップラインとを備え、前記第１のストリップラインと第１のアース電極との間隔を、前記第２のストリップラインと第２のアース電極との間隔と異ならせたことを特徴とする請求項１に記載の高周波スイッチ。
　【請求項４】
第１のストリップラインと第２のストリップラインを、ビアホールを介して接続したことを特徴とする請求項３に記載の高周波スイッチ。
　【請求項５】
複数の誘電体シートを積層した積層体と、この積層体内に設けたアース電極と、このアース電極とは異なる誘電体層に設けられた第１のストリップラインと、この第１のストリップラインと接続された第２のストリップラインとを備え、前記第１のストリップラインと第２のストリップラインの線路幅を異ならせたことを特徴とする請求項１に記載の高周波スイッチ。
　【請求項６】
第１のストリップラインと第２のストリップラインを、積層体内の異なる層に設けたことを特徴とする請求項５に記載の高周波スイッチ。
【発明の詳細な説明】
　【０００１】
　【発明の属する技術分野】
　本発明は各種通信機器のＲＦ部に用いられる高周波スイッチに関するものである。
　【０００２】
　【従来の技術】
　従来、アンテナと送信回路の接続、アンテナと受信回路との接続を適宜切り換える高周波スイッチは、特開平７−３１２５６８号公報の特にその図４に示される如く、アンテナ（ＡＮＴ）と送信回路（ＴＸ）間にダイオード（２４）が接続され、アンテナ（ＡＮＴ）と受信回路（ＲＸ）間に接続されたストリップライン（４０）とが接続され、このストリップライン（４０）のＲＸ側に一端が接続され他端がアースに接続されたダイオード（４６）が設けられ、ダイオード（２４）のアノード側に制御電圧回路（３０）が接続されている。
　【０００３】
　そして、このような高周波スイッチにおいては、受信時すなわちダイオード（２４，４６）をともにオフとした場合に、ダイオード（４６）の端子間容量によりストリップラインの受信回路（ＲＸ）側の特性インピーダンスが低くなってしまうため、これを補正すべくストリップライン（４０）のアンテナ（ＡＮＴ）側に補正用のコンデンサ（４２）を設けていた。
　【０００４】
　【発明が解決しようとする課題】
　しかしながら、補正用のコンデンサ（
４２
４２
　【０００５】
　そこで、本発明はこのような問題を解決し、送信時の挿入損失が小さい高周波スイッチを提供するものである。
　【０００６】
　【課題を解決するための手段】
　この目的を達成するために本発明は、高周波スイッチに設けられるストリップラインを、特性インピーダンスが異なる第１，第２のストリップラインを組み合わせて形成し、前記ストリップラインの両端部分の特性インピーダンスを調節することで前記第２のダイオードのオフ時に生じる端子間容量による前記第２のダイオードのオフ時に生じる端子間容量
によって前記ストリップラインの前記受信回路側の特性インピーダンスが低下することで、送信時
おける挿入損失が増加するという
　【０００７】
　【発明の実施の形態】
　本発明の請求項１に記載の発明は、アンテナと送信回路間に接続された第１のダイオードと、アンテナと受信回路間に接続されたストリップラインと、前記受信回路とアース間に接続された第２のダイオードと、これら第１，第２のダイオードのオン−オフを制御する制御回路を備え、前記ストリップラインを特性インピーダンスが異なる第１，第２のストリップラインを組み合わせて形成し、
前記第１のストリップラインをアンテナ側に接続し、前記第２のストリップラインを受信回路側に接続し、前記第２のストリップラインの特性インピーダンスを前記第１のストリップラインのものよりも高く設定するとともに
によって前記ストリップラインの前記受信回路側の特性インピーダンスが低下することで送信時、
おける挿入損失が増加するという
　【０００８】
　請求項２に記載の発明は、第１のストリップラインの特性インピーダンスを略５０オームとしたことを特徴とする請求項２に記載の高周波スイッチであって、送信時の挿入損失の増加をさらに抑制できる。
　【０００９】
　請求項３に記載の発明は、複数の誘電体シートを積層した積層体と、この積層体の異なる層に設けた第１，第２のアース電極と、これら第１，第２のアース電極で挟まれた誘電体層に設けられた第１のストリップラインと、この第１のストリップラインと前記第２のアース電極間の誘電体層に設けられるとともに前記第１のストリップラインと接続された第２のストリップラインとを備え、前記第１のストリップラインと第１のアース電極との間隔を、前記第２のストリップラインと第２のアース電極との間隔と異ならせたことを特徴とする請求項１に記載の高周波スイッチであって、第１，第２のストリップラインの特性インピーダンスを容易に調節できる。
　【００１０】
　請求項４に記載の発明は、第１のストリップラインと第２のストリップラインを、ビアホールを介して接続したことを特徴とする請求項４に記載の高周波スイッチであって、送信時の挿入損失の増加を抑制するとともに受信時の挿入損失の増加も抑制できる。
　【００１１】
　請求項５に記載の発明は、複数の誘電体シートを積層した積層体と、この積層体内に設けたアース電極と、このアース電極とは異なる誘電体層に設けられた第１のストリップラインと、この第１のストリップラインと接続された第２のストリップラインとを備え、前記第１のストリップラインと第２のストリップラインの線路幅を異ならせたことを特徴とする請求項１に記載の高周波スイッチであって、第１，第２のストリップラインの特性インピーダンスを容易に調節できる。
　【００１２】
　請求項６に記載の発明は、第１のストリップラインと第２のストリップラインを、積層体内の異なる層に設けたことを特徴とする請求項６に記載の高周波スイッチであて、請求項５と同様の効果を奏する。
　【００１３】
　以下本発明の一実施形態について図を用いて説明する。
　【００１４】
　図１は携帯電話などの通信機器のＲＦ部に用いられる高周波スイッチの回路図である。
　【００１５】
　この高周波スイッチは、アンテナＡＮＴに対して送信回路Ｔｘ或いは受信回路Ｒｘの一方を選択的に接続するため
シングルポール・ダブルスロー
　【００１６】
　この高周波スイッチは、送信回路Ｔｘ側にアノードが接続されたアンテナＡＮＴ側にカソードが接続されたダイオードＤ１と、ダイオードＤ１のアノード側に接続された制御回路Ｖｃと、一端がダイオードＤ１とアンテナＡＮＴ間に接続され他端が受信回路Ｒｘ側に接続され、送信回路Ｔｘにおける送信周波数の略１／４波長となるストリップラインＬと、アノード側がストリップラインＬと受信回路Ｒｘ間に接続されカソード側がアースに接続されたダイオードＤ２とから形成されている。
　【００１７】
　そして、送信時には制御回路Ｖｃから正電圧を印加しダイオードＤ１，Ｄ２を共にオン状態とすることで、ストリップラインＬの受信回路Ｒｘ側が、オン状態となったダイオードＤ２を介してアース接続され、アンテナＡＮＴ側からみた受信回路Ｒｘ側がオープン状態となるとともに、送信回路Ｔｘがオン状態となったダイオードＤ１を介してアンテナＡＮＴに接続されるので、送信回路Ｔｘから入力された送信信号がアンテナＡＮＴ側に出力される。
　【００１８】
　受信時には制御回路Ｖｃから正電圧を印加せずダイオードＤ１，Ｄ２をオフ状態とすることで、アンテナＡＮＴと送信回路Ｔｘ間がオフ状態となったダイオードＤ１によって遮蔽されるため、アンテナＡＮＴから入力された受信信号が受信回路Ｒｘ側に出力されるのである。
　【００１９】
　また、コンデンサＣ１は受信時（ダイオードＤ２をオフとした場合）に、ダイオードＤ２の端子間容量によりストリップラインＬの受信回路Ｒｘ側の特性インピーダンスがアンテナＡＮＴ側より低くなってしまうため、ストリップラインＬの両端部分に於ける特性インピーダンスのバランスを補正するために設けられている。
　【００２０】
　そして、この高周波スイッチに於いては、ストリップラインＬを特性インピーダンスが異なる二つのストリップラインＬ１，Ｌ２の直列体を用いて構成としている。
　【００２１】
　これは、特性インピーダンスの異なる二つのストリップラインＬ１，Ｌ２を組み合わせてストリップラインＬを形成することで、ストリップラインＬとして必要となる所望の特性インピーダンスを、ストリップラインＬ１，Ｌ２の合成インピーダンスとして形成でき、それぞれの特性インピーダンスの設定によって、ストリップラインＬにおける両端部分の特性インピーダンスのバランスを自在に調節でき、補正用のコンデンサＣ１の容量を、通信時の送信経路に適した容量値に設定することが可能となり、送信時の挿入損失の増加を抑制できるのである。
　【００２２】
　例えば、ストリップラインＬ１，Ｌ２の組み合わせにより補正用コンデンサＣ１を適宜選択することで、送信時に送信経路内に生じるダイオードＤ１のインダクタ成分を補正用コンデンサＣ１でキャンセルさせることが出来るようになるのである。
　【００２３】
　また、補正用のコンデンサＣ１は、送信時、つまりダイオードＤ２がオフの状態での端子間容量によってストリップラインＬの受信回路Ｒｘ側の特性インピーダンスが低下することに対するものであるので、受信回路Ｒｘ側に位置するストリップラインＬ２の特性インピーダンスを、アンテナＡＮＴ側に位置するストリップラインＬ１の特性インピーダンスよりも高く設定すれば、補正用のコンデンサＣ１の容量を小さくすることができ、特にストリップラインＬ１の特性インピーダンスを略５０オームと出来れば、補正用のコンデンサＣ１を取り去ることが可能となるのである。
　【００２４】
　さらに、ストリップラインＬ２の特性インピーダンスをストリップラインＬ１より高く設定すれば、これらを組み合わせて形成されるストリップラインＬが、送信時に一端が短絡されたＳＩＲ（ステップド・インピーダンス・リゾネータ）構造となり、その実線路長が大幅に削減でき、この結果として受信時の受信経路長が短縮され、受信時の挿入損失も小さなものと出来るのである。
　【００２５】
　なお、アンテナＡＮＴ端、送信回路Ｔｘ端、受信回路Ｒｘ端に設けられたコンデンサＣ２は、制御回路Ｖｃから印加される正電圧に対するＤＣカットの役割を果たしている。
　【００２６】
　そして図２は、上述した高周波スイッチＳＷの送信側にローパスフィルタＬＰＦを接続した高周波スイッチモジュールの等価回路図であり、図３はこの回路を積層構造化した積層型高周波スイッチモジュールの斜視図である。
　【００２７】
　この積層型の高周波スイッチモジュールは、図３に示す如く誘電体からなる積層体１の外周側面にアンテナ端子電極２、送信端子電極３、受信端子電極４、制御電圧端子電極５、アース端子電極６が設けられ、積層体１の上面にチップダイオード７，８及びチップインダクタ９を配置した構成となっている。
　【００２８】
　そして、この積層体１は図４に示すように、誘電体シート１０ａ〜１０ｋから成形され、誘電体シート１０ａ，１０ｃには、その略全面にアース電極１１ａ，１１ｂが設けられ、誘電体シート１０ｆの右側部分にはアース電極１１ｃが設けられている。
　【００２９】
　誘電体シート１０ｂ上には設置用のコンデンサ電極１２，１３，１４，１５ａ，１５ｂが設けられており、アース電極１１ａ，１１ｂと対向することでコンデンサ電極１２は図２に於けるＣ４を、コンデンサ電極１３は一端が制御電圧端子電極５に接続されて図２に於けるＣ３を、コンデンサ電極１４は一端がアンテナ端子電極２に接続されて図２に於けるＣ１を、コンデンサ電極１５ａは一端が送信端子電極３に接続されて図２に於けるＣ５を、コンデンサ電極１５ｂは図２に於けるＣ６を形成している。
　【００３０】
　誘電体シート１０ｄ上には、一端が送信端子電極３に接続されて図２に於けるＬ３を形成するストリップライン１６と、一端が受信端子電極４に接続されて図２に於けるＬ２を形成するストリップライン１７ａが設けられている。
　【００３１】
　誘電体シート１０ｅ上には、一端がビアホール１８を介してストリップライン１７ａと接続され図２に於けるＬ１を形成するストリップライン１７ｂが設けられている。また、ストリップライン１７ｂの左側には一端が送信端子電極３に接続されて図２に於けるＣ５を形成するコンデンサ電極１９が設けられている。
　【００３２】
　誘電体シート１０ｆ，１０ｇ，１０ｈのそれぞれ左側部分には、コンデンサ電極２０，２１，２２が設けられ、コンデンサ電極２１はコンデンサ電極２０，２２と対向し図２に於けるＣ３を形成している。またコンデンサ電極２０はコンデンサ電極１９と対向し図２に於けるＣ４を形成している。
　【００３３】
　誘電体シート１０ｉには、一端がアース端子電極６に接続されて図２に於けるＬ４を形成するストリップライン２３が設けられ、その左側部分には一端が制御電圧端子電極５に接続され図２に於けるＬ５を形成するストリップライン２４が設けられている。
　【００３４】
　誘電体シート１０ｋには、チップダイオード７，８を実装するための実装電極２５ａ，２５ｂ，２５ｃ，２５ｄと、チップインダクタ９を実装するための実装電極２６ａ，２６ｂが設けられている。
　【００３５】
　また、図２に於けるＤ２を形成するチップダイオード７の実装電極２５ａ側は、ビアホール２７を介して接続電極２８と接続され、さらにビアホール２９を介してストリップライン２３及びコンデンサ電極１２と接続され、実装電極２５ｂ側は、ビアホール３０、接続電極３１を介して受信端子電極４と接続されている。
　【００３６】
　図２に於けるＤ１を形成するチップダイオード７の実装電極２５ｃ側は、ビアホール３２を介して接続電極３３と接続され、さらにビアホール３４を介してストリップライン２４、コンデンサ電極２２、コンデンサ電極２０、ストリップライン１６、コンデンサ電極１５ｂと接続され、実装電極２５ｄ側は、ビアホール３５と接続電極３６を介してアンテナ端子電極２と接続されている。また、接続電極３６はビアホール３７を介してストリップライン１７ｂの一端に接続されている。
　【００３７】
　図２に於けるＬ６を形成するチップインダクタ９の実装電極２６ａ側は、ビアホール３８を介して接続電極３９と接続され、さらにビアホール４０を介してコンデンサ電極２１と接続され、実装電極２６ｂ側は、ビアホール４１および接続電極３６を介してアンテナ端子電極２と接続されている。
　【００３８】
　そして、このように形成された積層形高周波スイッチモジュールにおいて、図２に示すストリップラインＬ１，Ｌ２の特性インピーダンスを異ならせるために、図４に示す誘電体シート１０ｆと誘電体シート１０ｄのシート厚みを異ならせている。
　【００３９】
　つまり、誘電体シート１０ｆの下面には図２に於けるＬ１を形成するストリップライン１７ａが設けられ、上面にはアース電極１１ｃが設けられている。また、誘電体シート１０ｄの上面には図２に於けるＬ２を形成するストリップライン１７ｂが設けられ、下面にはアース電極１１ｂが設けられている。そして、ストリップライン１７ａ，１７ｂの特性インピーダンスは、ストリップライン１７ａであればアース電極１１ｂとの間隔で決まり、ストリップライン１７ｂであればアース電極１１ｃとの間隔で決まるので、誘電体シート１０ｄと誘電体シート１０ｆのシート厚みを調節することで、ストリップライン１７ａ，１７ｂの特性インピーダンスをそれぞれ所望の特性インピーダンスに調節出来るのである。
　【００４０】
　実際には、誘電体シート１０ｆのシート厚み誘電体シート１０ｄのものより薄く設定し、ストリップライン１７ａの特性インピーダンスがストリップライン１７ｂの特性インピーダンスより高く設定することで、前述したよう図２に於ける補正用のコンデンサＣ１の容量を小さなものとし、送信時の挿入損失の増加を抑制しているのである。
　【００４１】
　なお、ストリップライン１７ａ，１７ｂの特性インピーダンスを異ならせるには、それぞれの線幅を異ならせることでも調節可能であり、またストリップライン１７ａ，１７ｂを同じ層（例えば誘電体シート１０ｄ上）に形成し、一本のストリップライン（例えばストリップライン１７ａ）の中程で線幅を変えたものであっても同様の効果を奏する。さらに、このように線幅を異ならせる構成と、前述した誘電体シート１０ｄ，１０ｆのシート厚みを異ならせる構成を組み合わせて特性インピーダンスを調節することも可能である。
　【００４２】
　また、ストリップライン１７ａ，１７ｂは、ビアホール１８を介して連続されており、ビアホール１８は積層体側面などに設けられる電極パターン等に比べ電気特性であるＱ値が高いものとなるのでこの部分に於ける挿入損失の増加も抑制している。
　【００４３】
　【発明の効果】
　以上のように本発明によれば、高周波スイッチに設けられるストリップラインを、特性インピーダンスが異なる第１，第２のストリップラインを組み合わせて形成し、ストリップラインの両端部分の特性インピーダンスを調節し第２のダイオードのオフ時に生じる端子間容量による送信回路からアンテナに至る送信系路に対する影響を制御したとすることで、従来の高周波スイッチに比べて送信時の挿入損失を小さくできるのである。
【図面の簡単な説明】
　【図１】
　本発明の一実施携帯における高周波スイッチの等価回路図
　【図２】
　同高周波スイッチを用いた高周波スイッチモジュールの等価回路図
　【図３】
　同高周波スイッチモジュールを積層化した積層型高周波スイッチモジュールの斜視図
　【図４】
　同積層型高周波スイッチモジュールの分解斜視図
　【符号の説明】
　ＡＮＴ　アンテナ
　Ｔｘ　送信回路
　Ｒｘ　受信回路
　Ｄ１　第１のダイオード
　Ｄ２　第２のダイオード
　Ｌ　ストリップライン
　Ｌ１　第１のストリップライン
　Ｌ２　第２のストリップライン
　Ｖｃ　制御回路